(57)【要約】【課題】締結する部品の厚みや外形に関係なく、瞬時に部品同士の組立と解体を可能とし、作業性や取扱性が良いエレベータ据付治工具用締結ピンを得る。【解決手段】丸鋼等から構成された所定の軸長を有する締結ピン本体１と、締結ピン本体の一端部にネジ加工を施すことにより形成された蝶ナット用ネジ部２と、締結ピン本体の他端部に軸方向と直交するようにかつ軸長に沿って設けられた多数の外れ止め用ピン穴３と、蝶ナット用ネジ部にネジ込み可能な蝶ナット４と、多数の外れ止め用穴のうちの一つに選択的に挿入することにより、その位置に取付固定される外れ止め用松葉ピン５と、締結ピン本体の一端部と外れ止め用松葉ピンとを連結接続するワイヤロープ８とを備える。【選択図】図１
2008179454.tif 000002
【特許請求の範囲】
【請求項１】
丸鋼等から構成された所定の軸長を有する締結ピン本体と、
前記締結ピン本体の一端部にネジ加工を施すことにより形成された蝶ナット用ネジ部と、
前記締結ピン本体の他端部に軸方向と直交するようにかつ軸長に沿って設けられた多数の外れ止め用ピン穴と、
前記蝶ナット用ネジ部にネジ込み可能な蝶ナットと、
前記多数の外れ止め用穴のうちの一つに選択的に挿入することにより、その位置に取付固定される外れ止め用松葉ピンと、
前記締結ピン本体の一端部と前記外れ止め用松葉ピンとを連結接続するワイヤロープと、
を備えたことを特徴とするエレベータ据付治工具用締結ピン。
【請求項２】
締結ピン本体の一端の先端部にＤカン取付用穴を形成し、このＤカン取付用穴にＤカンを取り付け、このＤカンにワイヤロープの一端部を連結したことを特徴とする請求項１記載のエレベータ据付治工具用締結ピン。
【請求項３】
外れ止め用松葉ピンは、根元部に弾性を有し、親指大の直径の環状部を備えたことを特徴とする請求項１又は請求項２記載のエレベータ据付治工具用締結ピン。
【発明の詳細な説明】
【技術分野】
【０００１】
この発明は、主に組立・解体を頻繁に行うエレベータ仮設資材部品の締結等に用いるエレベータ据付治工具用締結ピンに関するものである。
【背景技術】
【０００２】
従来のエレベータ据付治工具の締結技術においては、一般的なボルトとナットの組み合わせが利用されている。
【０００３】
また、エレベータ据付治工具の従来技術としては、例えば、エレベータ保守作業用命綱が知られている (例えば、特許文献１参照)。
【０００４】
【特許文献１】特開２００１−１５１４３１号公報
【発明の開示】
【発明が解決しようとする課題】
【０００５】
従来のエレベータ据付治工具の締結技術では、長いボルトを使用して厚みの違う部品を締結する場合、部品個数に関係なく締結することも可能であるが、厚みの違う部品毎に全サイズのボルトが必要となり、組立・解体時にボルト、ナット等の紛失、或いはネジ部全域にわたるナットの繰り返し使用により、ネジ部が傷み、結果的にナット締め付け不良が発生していた。
【０００６】
また、従来技術は、エレベータ保守作業用命綱に関するものであり、エレベータ据付治工具の締結技術に関するものではない。
【０００７】
この発明は、上述のような課題を解決するためになされたもので、締結する部品の厚みや外形に関係なく、瞬時に部品同士の組立と解体を可能とし、作業性や取扱性が良いエレベータ据付治工具用締結ピンを提供するものである。
【課題を解決するための手段】
【０００８】
この発明に係るエレベータ据付治工具用締結ピンにおいては、丸鋼等から構成された所定の軸長を有する締結ピン本体と、締結ピン本体の一端部にネジ加工を施すことにより形成された蝶ナット用ネジ部と、締結ピン本体の他端部に軸方向と直交するようにかつ軸長に沿って設けられた多数の外れ止め用ピン穴と、蝶ナット用ネジ部にネジ込み可能な蝶ナットと、多数の外れ止め用穴のうちの一つに選択的に挿入することにより、その位置に取付固定される外れ止め用松葉ピンと、締結ピン本体の一端部と外れ止め用松葉ピンとを連結接続するワイヤロープとを備えたものである。
【発明の効果】
【０００９】
この発明によれば、多数の外れ止め用ピン穴により、締結する部品の厚みおよび外形に関係なく、設計することができる。また、外れ止め用松葉ピンと蝶ナットの組み合わせにより、短時間で部品の組立・解体ができる。また、蝶ナットを付加することにより、部品同士を手締めで密着できるので、部品のガタツキが無くなる。
【発明を実施するための最良の形態】
【００１０】
実施の形態１．
図１はこの発明の実施の形態１におけるエレベータ据付治工具用締結ピンの未使用時の全体構成を示す正面図、図２は図１を側面から見た側面図、図３は図１を上方から見た平面図、図４はこの発明の実施の形態１におけるエレベータ据付治工具用締結ピンによる締結使用状態の一例を示す正面図、図５は図４の時の外れ止め用松葉ピンの取付位置を示す上方から見た平面図、図６はこの発明の実施の形態１におけるエレベータ据付治工具用締結ピンによる締結使用状態の他の例を示す正面図、図７は図６の時の外れ止め用松葉ピンの取付位置を示す上方から見た平面図である。
【００１１】
図において、１は一般構造用の丸鋼等から構成された所定の軸長を持つエレベータ据付治工具用締結ピン本体、２はエレベータ据付治工具用締結ピン本体１の一端部にネジ加工を施すことにより形成された蝶ネジ用ネジ部、３はエレベータ据付治工具用締結ピン本体１の他端部に軸方向と直交するようにかつ軸長に沿って受けられた多数の外れ止め用ピン穴、４は蝶ネジ用ネジ部２に手締めによりネジ込み可能な蝶ナット、５はヘアピン状に形成されており、多数の外れ止め用ピン穴３のうちの一つに選択的に挿入することにより、その位置に取付固定される外れ止め用松葉ピンで、この松葉ピン５の取付固定位置を変更することにより、蝶ナット４と松葉ピン５との間に締結される部品の厚さや外形に任意に対応することができる。この松葉ピン５の根元部の環状部は弾性を有しており、親指大の直径を持ち、取付時に締結ピン本体１を弾性保持する働きをしている。６はエレベータ据付治工具用締結ピン本体１のネジ部２の先端部を部分的に切断加工することにより施されたＤカン取付用穴、７はこのＤカン取付用穴６に取り付けられたＤカン、８はこのＤカン７に一端部が連結接続されたワイヤロープで、その他端部は外れ止め用松葉ピン５の根元部の環状部に連結接続されている。したがって、各部品１〜８は一体となっているので、部品が泣き別れする心配が起きない。また、蝶ナット４はＤカン７により外れない構成となっている。
【００１２】
図４に示すエレベータ据付治工具用締結ピンによる締結使用状態の一例では、２種類の違う厚みの部品材料を３個締め付けた状態を示すものである。この時、外れ止め用の松葉ピン５の取付位置は最右側のＡ（図５参照）として、蝶ナット４で締め付けが可能であり、従来のピン結合の問題点であった部品のガタツキを解消することができる。
【００１３】
また、図６に示すエレベータ据付治工具用締結ピンによる締結使用状態の他の例では、２種類の違う厚みの部品材料を２個締め付けた状態を示すものである。この時、外れ止め用の松葉ピン５の取付位置を最右側のＡから最左側のＦ（図７参照）に変更することにより、蝶ナット４で締め付けが可能であり、従来のピン結合の問題点であった部品のガタツキを解消し、同じサイズのエレベータ据付治工具用締結ピンを共通に活用することができる。
【００１４】
以上のように実施の形態１によれば、多数の外れ止め用ピン穴３により、締結する部品の厚みおよび外形に関係なく、設計することができる。また、外れ止め用松葉ピン５と蝶ナット４の組み合わせにより、短時間で部品の組立・解体ができる。また、蝶ナット４を付加することにより、部品同士を手締めで密着できるので、部品のガタツキが無くなる。また、ネジ部を必要最小限に留めることにより、締結部品の紛失やネジ部全域にわたる繰り返し使用によるネジ部の損傷が無く、また作業性や取扱性が良いエレベータ据付治工具用締結ピンを得ることができる。
【００１５】
実施の形態２．
また、図示しないが、蝶ナット４部にバネ座金や平座金を追加して、蝶ナットの緩み止めまたは部品の損傷を防止することもできる。
【００１６】
なお、この発明のエレベータ据付治工具用締結ピンは、主に組立・解体を頻繁に行うエレベータ仮設資材部品の締結等に用いると優れた効果を発揮するが、エレベータ据付治工具以外の一般的な部品や資材の締結に適用することもできる。
【図面の簡単な説明】
【００１７】
【図１】この発明の実施の形態１におけるエレベータ据付治工具用締結ピンの未使用時の全体構成を示す正面図である。
【図２】図１を側面から見た側面図である。
【図３】図１を上方から見た平面図である。
【図４】この発明の実施の形態１におけるエレベータ据付治工具用締結ピンによる締結使用状態の一例を示す正面図である。
【図５】図４の時の外れ止め用松葉ピンの取付位置を示す上方から見た平面図である。
【図６】この発明の実施の形態１におけるエレベータ据付治工具用締結ピンによる締結使用状態の他の例を示す正面図である。
【図７】図６の時の外れ止め用松葉ピンの取付位置を示す上方から見た平面図である。
【符号の説明】
【００１８】
１  エレベータ据付治工具用締結ピン本体
２  蝶ネジ用のネジ部
３  外れ止め用ピン穴
４  蝶ナット
５  外れ止め用の松葉ピン
６  Ｄカン取付用穴
７  Ｄカン
８  ワイヤロープ
【図１】
2008179454.tif 000003
【図２】
2008179454.tif 000004
【図３】
2008179454.tif 000005
【図４】
2008179454.tif 000006
【図５】
2008179454.tif 000007
【図６】
2008179454.tif 000008
【図７】
2008179454.tif 000009